(57)【要約】【課題】  まつ毛の増毛を行うことができるまつ毛増毛用器具、当該まつ毛増毛用器具を用いたまつ毛の増毛方法、まゆ毛の増毛を行うことができるまゆ毛増毛用器具、及び当該まゆ毛増毛用器具を用いたまゆ毛の増毛方法の提供。【解決手段】  まつ毛増毛用器具は、係止装置と、保持装置１とを備えている。保持装置１は、自在継手を有する第１支持部２及び第２支持部３と、まつ毛１３を保持可能なまつ毛保持部４と、を備えている。まつ毛保持部４は、まつ毛１３を挟持する挟持部４３と、押圧されることにより挟持部４３が開く押圧部４２と、を有している。まつ毛保持部４は、押圧部４２が押圧されていない状態では挟持部４３が閉じた状態であってまつ毛１３を挟持可能である。【選択図】図１
2018084018.tif 000002
【特許請求の範囲】
【請求項１】
一端部と、他端部と、前記一端部と前記他端部とを引っ張ると縮小するループ部と、を備えた人工毛の前記ループ部が通されることにより前記人工毛が係止される被係止部と、前記被係止部に係止された前記人工毛の前記ループ部を覆うカバー部と、を備える係止装置と、
自在継手を有する支持部と、前記支持部によって位置が固定されまつ毛を保持可能なまつ毛保持部と、を備える保持装置と、から構成され、
前記人工毛は、前記被係止部において前記人工毛の移動抵抗となる係止テープ上に係止され、
前記まつ毛保持部は、まつ毛を挟持する挟持部と、押圧されることにより前記挟持部が開く押圧部と、を有し、前記まつ毛保持部は、前記押圧部が押圧されていない状態では前記挟持部が閉じた状態であってまつ毛を挟持可能であることを特徴とするまつ毛増毛用器具。
【請求項２】
前記挟持部は前記押圧部に対して斜めに傾斜した対向面を有し、前記まつ毛保持部が前記まつ毛を保持した状態において前記対向面はまぶたと対向していることを特徴とする請求項１に記載のまつ毛増毛用器具。
【請求項３】
前記まつ毛保持部に着脱可能に設けられ、前記まつ毛周辺を撮影可能な撮影部と、
前記撮影部が撮影した映像を表示する表示部と、をさらに有することを特徴とする請求項１または２に記載のまつ毛増毛用器具。
【請求項４】
一端部と、他端部と、前記一端部と前記他端部とを引っ張ると縮小するループ部と、を備えた人工毛と、自在継手を有する支持部と、前記支持部によって位置が固定されまつ毛を挟持する挟持部と、押圧されることにより前記挟持部が開く押圧部と、を有し、前記押圧部が押圧されていない状態では前記挟持部が閉じた状態であってまつ毛を挟持可能なまつ毛保持部と、を有する保持装置と、を用いたまつ毛の増毛方法であって、
前記ループ部を前記まつ毛保持部に通す工程と、
前記まつ毛保持部で前記まつ毛を保持する工程と、
前記ループ部を、前記まつ毛保持部から前記まつ毛に移動させる工程と、
前記一端部と前記他端部とを引っ張って前記ループ部を縮小させ、前記人工毛を前記まつ毛に結び付ける工程と、を有することを特徴とするまつ毛の増毛方法。
【請求項５】
一端部と、他端部と、前記一端部と前記他端部とを引っ張ると縮小するループ部と、を備えた人工毛の前記ループ部が通されることにより前記人工毛が係止される被係止部と、前記被係止部に係止された前記人工毛の前記ループ部を覆うカバー部と、を備える係止装置と、
自在継手を有する支持部と、前記支持部によって位置が固定されまゆ毛を保持可能なまゆ毛保持部と、を備える保持装置と、から構成され、
前記人工毛は、前記被係止部において前記人工毛の移動抵抗となる係止テープ上に係止され、
前記まゆ毛保持部は、まゆ毛を挟持する挟持部と、押圧されることにより前記挟持部が開く押圧部と、を有し、前記まゆ毛保持部は、前記押圧部が押圧されていない状態では前記挟持部が閉じた状態であってまゆ毛を挟持可能であることを特徴とするまゆ毛増毛用器具。
【請求項６】
一端部と、他端部と、前記一端部と前記他端部とを引っ張ると縮小するループ部と、を備えた人工毛と、自在継手を有する支持部と、前記支持部によって位置が固定されまゆ毛を挟持する挟持部と、押圧されることにより前記挟持部が開く押圧部と、を有し、前記押圧部が押圧されていない状態では前記挟持部が閉じた状態であってまゆ毛を挟持可能なまゆ毛保持部と、を有する保持装置と、を用いたまゆ毛の増毛方法であって、
前記ループ部を前記まゆ毛保持部に通す工程と、
前記まゆ毛保持部で前記まゆ毛を保持する工程と、
前記ループ部を、前記まゆ毛保持部から前記まゆ毛に移動させる工程と、
前記一端部と前記他端部とを引っ張って前記ループ部を縮小させ、前記人工毛を前記まゆ毛に結び付ける工程と、を有することを特徴とするまゆ毛の増毛方法。
【発明の詳細な説明】
【技術分野】
【０００１】
本発明は、まつ毛増毛用器具、まつ毛の増毛方法、まゆ毛増毛用器具、及びまゆ毛の増毛方法に関する。
【背景技術】
【０００２】
まつ毛にボリューム感を持たせて目を大きく美しく魅せる効果があるとして、まつ毛に人工毛を装着するつけまつげが一般に知られている。人工毛によると、長さやボリューム感、質感などを自由に選択することができるため、女性を中心に利用されている。また、まつ毛１本に対してエクステンション用人工毛を接着剤で固定するまつ毛エクステンションが知られている（例えば、特許文献１）。エクステンション用人工毛は、先端に向かうにつれて径が細くなっており、アクリレート系の物質からなる接着剤によってまつ毛に固定される。
【０００３】
人工まつ毛を固定する方法として、収縮性材料からなる環状部材を用いる方法が知られている（例えば、特許文献２）。環状部材にまつ毛と人工まつ毛とを通し、環状部材に熱をかけて収縮させることにより人工まつ毛をまつ毛に固定する。
【先行技術文献】
【特許文献】
【０００４】
【特許文献１】特開２０１６−３３２７０号公報
【特許文献２】特開２０１２−７２５３８号公報
【発明の概要】
【発明が解決しようとする課題】
【０００５】
しかしながら、つけまつげは接着剤や両面テープで固定するため、汗や皮脂、湿気などではがれやすく耐久性が低い。また、つけまつげやまつ毛エクステンションの際に使用する接着剤は、肌に悪影響を及ぼしかぶれや炎症を起こす可能性がある。接着剤を直接肌に塗布しない場合であっても、接着剤の揮発性物質などが原因となって目のかゆみや目の充血などの不快感を起こすことがある。まつ毛エクステンションの寿命は２週間程度であるため、定期的にまつ毛エクステンションの施術を受ける必要がある。
【０００６】
また、まゆ毛を眉墨等で描いている場合であっても、まゆ毛のボリュームを増やして好みの形状に整えたいという要望があった。
【０００７】
そこで、本発明は、まつ毛の増毛を行うことができるまつ毛増毛用器具、当該まつ毛増毛用器具を用いたまつ毛の増毛方法、まゆ毛の増毛を行うことができるまゆ毛増毛用器具、及び当該まゆ毛増毛用器具を用いたまゆ毛の増毛方法を提供することを目的とする。
【課題を解決するための手段】
【０００８】
上記課題を解決するために第１の発明では、一端部と、他端部と、前記一端部と前記他端部とを引っ張ると縮小するループ部と、を備えた人工毛の前記ループ部が通されることにより前記人工毛が係止される被係止部と、前記被係止部に係止された前記人工毛の前記ループ部を覆うカバー部と、を備える係止装置と、自在継手を有する支持部と、前記支持部によって位置が固定されまつ毛を保持可能なまつ毛保持部と、を備える保持装置と、から構成され、前記人工毛は、前記被係止部において前記人工毛の移動抵抗となる係止テープ上に係止され、前記まつ毛保持部は、まつ毛を挟持する挟持部と、押圧されることにより前記挟持部が開く押圧部と、を有し、前記まつ毛保持部は、前記押圧部が押圧されていない状態では前記挟持部が閉じた状態であってまつ毛を挟持可能であることを特徴とするまつ毛増毛用器具を提供する。
【０００９】
また、第２の発明では、第１の発明において、前記挟持部は前記押圧部に対して斜めに傾斜した対向面を有し、前記まつ毛保持部が前記まつ毛を保持した状態において前記対向面はまぶたと対向していることを特徴としている。
【００１０】
また、第３の発明では、第１の発明又は第２の発明において、前記まつ毛保持部に着脱可能に設けられ、前記まつ毛周辺を撮影可能な撮影部と、前記撮影部が撮影した映像を表示する表示部と、をさらに有することを特徴としている。
【００１１】
また、第４の発明では、一端部と、他端部と、前記一端部と前記他端部とを引っ張ると縮小するループ部と、を備えた人工毛と、自在継手を有する支持部と、前記支持部によって位置が固定されまつ毛を挟持する挟持部と、押圧されることにより前記挟持部が開く押圧部と、を有し、前記押圧部が押圧されていない状態では前記挟持部が閉じた状態であってまつ毛を挟持可能なまつ毛保持部と、を有する保持装置と、を用いたまつ毛の増毛方法であって、前記ループ部を前記まつ毛保持部に通す工程と、前記まつ毛保持部で前記まつ毛を保持する工程と、前記ループ部を、前記まつ毛保持部から前記まつ毛に移動させる工程と、前記一端部と前記他端部とを引っ張って前記ループ部を縮小させ、前記人工毛を前記まつ毛に結び付ける工程と、を有することを特徴とするまつ毛の増毛方法を提供する。
【００１２】
また、第５の発明では、一端部と、他端部と、前記一端部と前記他端部とを引っ張ると縮小するループ部と、を備えた人工毛の前記ループ部が通されることにより前記人工毛が係止される被係止部と、前記被係止部に係止された前記人工毛の前記ループ部を覆うカバー部と、を備える係止装置と、自在継手を有する支持部と、前記支持部によって位置が固定されまゆ毛を保持可能なまゆ毛保持部と、を備える保持装置と、から構成され、前記人工毛は、前記被係止部において前記人工毛の移動抵抗となる係止テープ上に係止され、前記まゆ毛保持部は、まゆ毛を挟持する挟持部と、押圧されることにより前記挟持部が開く押圧部と、を有し、前記まゆ毛保持部は、前記押圧部が押圧されていない状態では前記挟持部が閉じた状態であってまゆ毛を挟持可能であることを特徴とするまゆ毛増毛用器具を提供する。
【００１３】
また、第６の発明では、一端部と、他端部と、前記一端部と前記他端部とを引っ張ると縮小するループ部と、を備えた人工毛と、自在継手を有する支持部と、前記支持部によって位置が固定されまゆ毛を挟持する挟持部と、押圧されることにより前記挟持部が開く押圧部と、を有し、前記押圧部が押圧されていない状態では前記挟持部が閉じた状態であってまゆ毛を挟持可能なまゆ毛保持部と、を有する保持装置と、を用いたまゆ毛の増毛方法であって、前記人工毛を用意する工程と、前記ループ部を前記まゆ毛保持部に通す工程と、前記まゆ毛保持部で前記まゆ毛を保持する工程と、前記ループ部を、前記まゆ毛保持部から前記まゆ毛に移動させる工程と、前記一端部と前記他端部とを引っ張って前記ループ部を縮小させ、前記人工毛を前記まゆ毛に結び付ける工程と、を有することを特徴とするまゆ毛の増毛方法を提供する。
【発明の効果】
【００１４】
第１の発明によると、人工毛は係止テープ上に係止されているため、係止テープが移動抵抗となってループ部の緩みを防止するとともに人工毛が適度な抵抗をもって移動することができる。これにより、被係止部から人工毛を円滑に取り外すことができるとともに、人工毛同士が互いに絡むことを防止できる。また、カバー部がループ部を覆っているため、ループ部が被係止部から外れることを防止することができる。さらに、係止装置から１本１本人工毛を用意することにより、人工毛を互いに絡ませることなく円滑にまつ毛の増毛を行うことができる。また、まつ毛保持部は押圧されることにより挟持部が開く構造であるため、通常状態ではまつ毛保持部は閉じた状態となる。これにより、手を離した状態でもまつ毛保持部でまつ毛を保持することができるため、一人が両手を使って人工毛をまつ毛に結び付けることができる。まつ毛保持部は、自在継手を有する支持部によって位置が固定されるため、保持したまつ毛が微動しない。これにより、まつ毛を引っ張ることなく安定してまつ毛を保持し、まつ毛の増毛を行うことができる。
【００１５】
第２の発明によると、対向面がまぶたと対向しているため、まつ毛保持部がまぶた周辺に接触したとしても対向面がまぶたに当たることとなる。これにより、挟持部によってまぶた周辺を傷つけることがない。
【００１６】
第３の発明によると、撮影部で撮影された映像が表示部に表示されるため、表示部で表示されている映像を随時確認しながら、まつ毛の増毛を行うことができる。これにより、より正確かつ安全にまつ毛の増毛を行うことができる。
【００１７】
第４の発明によると、接着剤を用いることなく人工毛をまつ毛に結び付けているため、接着剤による肌荒れや炎症、目のかゆみ、充血などを起こすことなくまつ毛を増毛させることができる。また、人工毛をまつ毛に結び付ける際に、まつ毛保持部でまつ毛を固定した状態でまつ毛保持部に通された人工毛をまつ毛に移動させているため、まつ毛に人工毛を結び付けるときにまつ毛が人工毛に引っ張られることがない。これにより、痛みや刺激を伴うことなく人工毛をまつ毛に結びつけることができる。また、まつ毛はまつ毛保持部によって固定されているため、人工毛を結び付ける位置を定めやすい。まつ毛のボリューム感を出すためには、人工毛をまつ毛の根元付近に結び付けることが好ましいが、まつ毛は長さが短いためまつ毛を固定しない状態でまつ毛に人工毛を結び付けることは困難を極めた。本発明では、人工毛のループ部を予めまつ毛保持部に通しておき、まつ毛保持部でまつ毛を固定した状態で人工毛をまつ毛保持部からまつ毛に移動させるため、簡易且つ短時間で人工毛をまつ毛に結び付けることができる。さらに、まつ毛保持部は、自在継手を有する支持部によって位置が固定されるため、安定してまつ毛を保持することができる。人工毛が直接まつ毛に結び付けられているため、まつ毛が抜けない限り人工毛はまつ毛に結び付いた状態となる。まつ毛の生え変わり周期は一般に３〜４カ月であるため、接着剤で人工毛を接着するまつ毛エクステンションと比べてはるかに寿命が長い。人工毛を結びつける場合には、つけまつげをまぶた付近に貼付する場合に比べて自然にまつ毛を増毛することができる。これにより、つけまつげに比べて、自然に目を大きく魅せることができる。さらに、接着剤の場合と異なり、人工毛はまつ毛に結び付けられている状態であるため、任意に取り外すことが可能である。まつ毛は、５カ月程度のサイクルで抜け落ちており、１〜２か月が、まつ毛が伸びる成長期である。よって、まつ毛が成長によってある程度伸びてきた段階で、人工毛を取り外すことができる。
【００１８】
第５の発明によると、人工毛は係止テープ上に係止されているため、係止テープが移動抵抗となってループ部の緩みを防止するとともに人工毛が適度な抵抗をもって移動することができる。これにより、被係止部から人工毛を円滑に取り外すことができるとともに、人工毛同士が互いに絡むことを防止できる。また、カバー部がループ部を覆っているため、ループ部が被係止部から外れることを防止することができる。さらに、係止装置から１本１本人工毛を用意することにより、人工毛を互いに絡ませることなく円滑にまゆ毛の増毛を行うことができる。また、まゆ毛保持部は押圧されることにより挟持部が開く構造であるため、通常状態ではまゆ毛保持部は閉じた状態となる。これにより、手を離した状態でもまゆ毛保持部でまゆ毛を保持することができるため、一人が両手を使って人工毛をまゆ毛に結び付けることができる。まゆ毛保持部は、自在継手を有する支持部によって位置が固定されるため、保持したまゆ毛が微動しない。これにより、まゆ毛を引っ張ることなく安定してまゆ毛を保持し、まゆ毛の増毛を行うことができる。
【００１９】
第６の発明によると、人工毛をまゆ毛に結び付けているため、容易にまゆ毛を増毛させることができる。また、人工毛をまゆ毛に結び付ける際に、まゆ毛保持部でまゆ毛を固定した状態でまゆ毛保持部に通された人工毛をまゆ毛に移動させている。さらに、まゆ毛に人工毛を結び付けるときにまゆ毛が人工毛に引っ張られることがないため、痛みや刺激を伴うことなく人工毛をまゆ毛に結びつけることができる。また、まゆ毛はまゆ毛保持部によって固定されているため、人工毛を結び付ける位置を定めやすい。さらに、人工毛のループ部を予めまゆ毛保持部に通しておき、まゆ毛保持部でまゆ毛を固定した状態で人工毛をまゆ毛保持部からまゆ毛に移動させるため、簡易且つ短時間で人工毛をまゆ毛に結び付けることができる。さらに、まゆ毛保持部は、自在継手を有する支持部によって位置が固定されるため、安定してまゆ毛を保持することができる。人工毛が直接まゆ毛に結び付けられているため、まゆ毛が抜けない限り人工毛はまゆ毛に結び付いた状態となる。
【００２０】
本発明によれば、まつ毛の増毛を行うことができるまつ毛増毛用器具、当該まつ毛増毛用器具を用いたまつ毛の増毛方法、まゆ毛の増毛を行うことができるまゆ毛増毛用器具、及び当該まゆ毛増毛用器具を用いたまゆ毛の増毛方法を提供することができる。
【図面の簡単な説明】
【００２１】
【図１】本発明の実施の形態によるまつ毛増毛の斜視図。
【図２】本発明の実施の形態による係止装置のカバー部が取り付けてある状態の斜視図。
【図３】本発明の実施の形態による係止装置のカバー部及び人工毛を取り外した状態の分解斜視図。
【図４】本発明の実施の形態によるまつ毛増毛方法のフロー図。
【図５】本発明の実施の形態による人工毛を額に一時的に固定していることを示す図。
【図６】本発明の実施の形態によるアイロンでまつ毛をカールさせている状態を示す図。
【図７】本発明の実施の形態によるアイロンでまつ毛をカールさせた後の状態を示す図。
【図８】本発明の実施の形態の変形例によるまつ毛増毛の斜視図。
【図９】本発明の実施の形態のまゆ毛増毛の斜視図。
【発明を実施するための形態】
【００２２】
本発明の実施の形態によるまつ毛増毛用器具及びまつ毛の増毛方法を、図１乃至図７に基づき説明する。まつ毛増毛用器具は、図１に示す保持装置１と、図２に示す係止装置６と、から構成される。まつ毛増毛時の患者１１の顔は、フェイスマスク１２で覆われていて、目と、鼻と口のみ露出している。
【００２３】
保持装置１は、第１支持部２と、第１支持部２に接続される第２支持部３と、前記第２支持部３に保持されるまつ毛保持部４と、を備えている。第１支持部２は、固定台座２１と、第１ロッド２２と、第２ロッド２３と、グリップ部２４と、から構成される。
【００２４】
固定台座２１は、第１アーム２１Ａと第２アーム２１Ｂとで台５を挟持することにより、保持装置１を台５に固定する。第１ロッド２２は伸縮可能であって、一端に固定台座２１と接続される第１ジョイント部２２Ａを有し、他端に第２ロッド２３と接続される第２ジョイント部２２Ｂを有している。第１ジョイント部２２Ａと１第２ジョイント部２２Ｂとの間には、第１ロッド２２の長さを固定する伸縮ストッパ２２Ｃが設けられている。第１ジョイント部２２Ａは、第１ロッド２２を固定台座２１に対して回転可能に接続している。第２ジョイント部２２Ｂは、第１ロッド２２を第２ロッド２３に対して回転可能且つ傾動可能に接続している。第２ジョイント部２２Ｂには、保持ストッパ２５が設けられている。
【００２５】
第２ロッド２３は、一端が第２ジョイント部２２Ｂに接続され、他端に第３ジョイント部２３Ａを備えている。第３ジョイント部２３Ａは自在継手であって、第２ロッド２３とグリップ部２４とを接続している。第１ジョイント部２２Ａ、第２ジョイント部２２Ｂ、及び第３ジョイント部２３Ａは、保持ストッパ２５の操作によって一括で固定・解除を行うことができる。
【００２６】
グリップ部２４は、第１支持部２と第２支持部３とを接続する部材であって、第２支持部３の一端を挟持している。グリップ部２４は、止めネジ２４Ａによって保持状態を維持している。
【００２７】
第２支持部３は、第４ジョイント部３１と、第５ジョイント部３２と、第６ジョイント部３３と、まつ毛保持部４を回動可能に支持する回動支持部３４と、を備えている。第４ジョイント部３１、第５ジョイント部３２、及び第６ジョイント部３３は、自在継手であって図示せぬ止めネジによって接続状態を固定することができる。また、止めネジを調整することにより、抵抗をもって各ジョイントの接続状態を変えることができる。第２支持部３の各ジョイント部は、手が触れた程度では接続状態は変わらないが、まつ毛保持部４が移動するとこれに連動して接続状態が変わる程度に止めネジが締められていることが望ましい。第１支持部２及び第２支持部３は、本発明の支持部に相当する。
【００２８】
まつ毛保持部４は、被保持部４１と、押圧部４２と、挟持部４３と、を備えている。被保持部４１は、回動支持部３４に回動可能且つ傾動可能に保持されている。押圧部４２は、図４（ｂ）に示すように、両側から押圧される部分である。まつ毛保持部４は、押圧部４２が押圧されることにより挟持部４３が開く、いわゆる逆ピンセットである。挟持部４３は斜めに屈曲しており、まつ毛の増毛時にまぶたと対向する対向面４３Ａを備えている。換言すると、挟持部４３及び対向面４３Ａは、押圧部４２に対して斜めに傾斜している。
【００２９】
図２に示すように、係止装置６は保持装置１の近傍に配置され、ベース部７と、被係止部８と、透明性を有するカバー部９と、から構成される。ベース部７は、台座７１と、保持軸７２と、を備えている。台座７１は係止装置６を台５に固定するための部材であって、保持軸７２が挿入される孔部７１ａが形成されている。保持軸７２は上下方向に延び、下端部が孔部７１ａに挿入されることにより台座７１に固定される。保持軸７２には、被係止部８が挿入される軸孔７２ａが形成されている。
【００３０】
被係止部８は保持軸７２と直交する方向（前後方向）に延び、円柱形状を成している。被係止部８は円柱形状であるため、人工毛１０に折れ癖がつかない。被係止部８の前部には係止テープ８１が円周方向全周に亘って巻かれていて、係止テープ８１上に複数の人工毛１０が係止されている。係止テープ８１は、表面が僅かに起毛しており、人工毛１０が移動する際に抵抗となる。当該起毛によって、係止テープ８１に係止された人工毛１０が僅かに浮き上がるため、ピンセット等で容易に被係止部８から取り外すことができる。本実施の形態では、係止テープ８１として医療用のシリコンテープを用いている。係止テープ８１は、シリコンテープに限定されず、人工毛１０が滑らないように移動抵抗となる部材であればよい。被係止部８を軸孔７２ａから引き抜くことにより、人工毛１０が係止された被係止部８を持ち運ぶことができる。このとき、人工毛１０に折れ癖が付かないように、カバー等で覆うことが好ましい。
【００３１】
図３に示すように、カバー部９は円筒形状であって、下部に前後方向全幅に亘ってスリット９ａが形成されている。図２に示す状態では、スリット９ａから人工毛１０が下方に垂れ下がっている。カバー部９の前後方向の長さは、係止テープ８１の前後方向の長さよりも長いため、係止テープ８１上の人工毛１０はカバー部９に覆われている。カバー部９は、透明性を有するポリエステル又はオレフィン系の樹脂材料であることが好ましい。
【００３２】
人工毛１０は、ループ部１０Ａと、一端部１０Ｂと、他端部１０Ｃと、を備えている。人工毛１０は、一本の長い人工毛を結ぶことでループ部１０Ａを形成している。ループ部１０Ａは２本の人工毛から構成され、その直径は一端部１０Ｂと他端部１０Ｃとを引っ張ることにより収縮し、ループ部１０Ａを広げることにより拡大する。１本の人工毛からループ部１０Ａを形成して人工毛１０とし、ループ部１０Ａを被係止部８に通して、一端部１０Ｂと他端部１０Ｃとを引っ張り、人工毛１０を係止テープ８１の上に一時的に係止させる。このとき、係止テープ８１の表層の起毛が抵抗となって、ループ部１０Ａが係止テープ８１上で適度な抵抗をもって移動する。係止テープ８１の前後方向に間隔を隔てて複数の人工毛１０を係止させた後、スリット９ａを広げてカバー部９を上方から被係止部８に被せる。
【００３３】
次に、図４に基づいて、まつ毛を増毛させるまつ毛の増毛方法について説明する。まず、係止装置６の被係止部８からカバー部９を取り外し、ピンセット等で一番前側に位置する人工毛１０のループ部１０Ａを緩め、人工毛１０を被係止部８から取り外す。図４（ａ）に示すように、人工毛１０のループ部１０Ａをまつ毛保持部４の挟持部４３に通す。図４（ｂ）に示すように、押圧部４２を両サイドから押圧して挟持部４３を開く。図４（ｃ）に示すように、挟持部４３でまつ毛１３のうちのまつ毛増毛の対象となる対象まつ毛１３Ａの先端部分を挟む。同時に、一端部１０Ｂ及び他端部１０Ｃを引っ張ってループ部１０Ａを、挟持部４３を通過可能な程度に収縮させる。このとき、対向面４３Ａはまぶたに対向している。換言すると、挟持部４３の先端はまぶたとは異なる方向に指向している。まつ毛保持部４は複数のジョイント部を備える第２支持部３によって保持されているため、容易にまつ毛保持部４の位置の微調整ができるとともに、位置を決めた時の遊びがない。ここでいう遊びとは、まつ毛保持部４を位置決めして手を離すと僅かにまつ毛保持部４の位置が移動することをいう。従って、対象まつ毛１３Ａを挟持部４３で挟持してまつ毛保持部４から手を離しても、まつ毛保持部４の位置は変わらない。これにより、増毛中に対象まつ毛１３Ａがまつ毛保持部４によって引っ張られることがない。
【００３４】
図４（ｄ）に示すように、ループ部１０Ａをまつ毛保持部４から離れるように矢印の方向にスライドさせて、ループ部１０Ａを対象まつ毛１３Ａに通す。ループ部１０Ａを収縮させているため、周囲のまつ毛をループ部１０Ａに巻き込むことなく、対象まつ毛１３Ａのみをループ部１０Ａに通すことができる。図４（ｅ）に示すように、一端部１０Ｂと他端部１０Ｃとを矢印の方向に引っ張ってループ部１０Ａを収縮させ、人工毛１０を対象まつ毛１３Ａに結び付ける。一端部１０Ｂと他端部１０Ｃは、まつ毛１３の幅方向と略平行な方向に引っ張る。これにより、人工毛１０がまつ毛１３の幅方向に延びるように結び付けられるため、まつ毛１３のボリューム感がより大きくなる。人工毛１０は、対象まつ毛１３Ａの根元近傍に結び付けることが望ましい。これにより、人工毛１０の長さをまつ毛１３と揃えた場合でも、人工毛１０を長くすることができるため、まつ毛１３のボリューム感が増す。
【００３５】
図４（ｆ）に示すように、押圧部４２を押圧して挟持部４３を開き、対象まつ毛１３Ａからまつ毛保持部４を離す。図５に示すように、対象まつ毛１３Ａに結び付けられた後の一端部１０Ｂ及び他端部１０Ｃは、フェイスマスク１２のおでこ部分に貼り付けられた両面テープ１４に一時的に固定される。この図４（ａ）から図４（ｆ）の作業を複数のまつ毛に対して行う（図５）。まつ毛１３全体のボリュームや長さ、質感等を考慮して、すべてのまつ毛１３に対して人工毛１０を結び付けてもよく、間隔を空けて人工毛１０をまつ毛１３に結び付けてもよい。すべての人工毛１０をまつ毛１３に結び付けた後、人工毛１０を両面テープ１４から外し、まつ毛１３よりも若干人工毛１０が長くなるようにカットする。人工毛１０がまつ毛１３よりも若干長いため、よりまつ毛１３のボリューム感を出すことができる。カットに用いるハサミは刃面が湾曲しており、まつ毛のカーブに沿って人工毛１０をカットすることができる。
【００３６】
図６及び図７に示すように、人工毛１０及びまつ毛１３を専用のまつ毛アイロン５１でカールさせる。まつ毛アイロン５１は、ヒータ部５２と、受け部５３と、接続部５４と、把持部５５と、図示せぬ調整部と、を備えている。ヒータ部５２は、円柱形状であって内部にヒータが内蔵されており、調整部を調整することによって温度調節可能である。受け部５３は、ヒータ部５２を受け入れるように半円筒形状である。まつ毛１３及び人工毛１０は、ヒータ部５２と受け部５３とに挟持されて熱がかかることにより、カールされる。まつ毛１３及び人工毛１０をカールさせる際は、９０℃〜１３０℃で５〜２０秒程度挟持することが好ましい。まつ毛アイロン５１の温度や挟持時間は、まつ毛１３の毛質や人工毛１０の数などに応じて任意に調節することができる。
【００３７】
接続部５４は、ヒータ部５２及び受け部５３と、把持部５５とを繋ぐ部分である。接続部５４にもヒータ部５２の熱が伝わってくるため、フェルト等で表面を覆っても良い。これにより、患者１１に接続部５４が直接触れることを防止できる。把持部５５は、施術者がまつ毛アイロン５１を把持する部分である。
【００３８】
図６では図示していないが、まつ毛アイロン５１でまつ毛１３及び人工毛１０をカールさせる際には、まぶたにシリコンテープを張って寝ているまつ毛を立たせるとともに、接続部５４の接触防止のためにまぶたの下にもシリコンテープを貼る。まつ毛１３にまつ毛専用のクシを通した状態で、まつ毛アイロン５１によってまつ毛１３及び１０をカールさせてもよい。まつ毛アイロン５１でまつ毛１３及び人工毛１０をカールさせることにより、少なくとも２〜３週間はまつ毛１３及び人工毛１０がカールした状態を維持することができる。
【００３９】
このような構成によると、人工毛１０は係止テープ８１上に係止されているため、係止テープ８１が移動抵抗となってループ部１０Ａの緩みを防止するとともに人工毛１０が適度な抵抗をもって移動することができる。これにより、被係止部８から人工毛１０を円滑に取り外すことができるとともに、人工毛１０同士が互いに絡むことを防止できる。また、カバー部９がループ部１０Ａを覆っているため、ループ部１０Ａが被係止部８から外れることを防止することができる。さらに、係止装置６から１本１本人工毛１０を用意することにより、人工毛１０を互いに絡ませることなく円滑にまつ毛１３の増毛を行うことができる。また、まつ毛保持部４は押圧されることにより挟持部４３が開く構造であるため、通常状態ではまつ毛保持部４は閉じた状態となる。これにより、手を離した状態でもまつ毛保持部４で対象まつ毛１３Ａを保持することができるため、一人が両手を使って人工毛１０を対象まつ毛１３Ａに結び付けることができる。まつ毛保持部４は、自在継手を有する第１支持部２及び第２支持部３によって位置が固定されるため、保持した対象まつ毛１３Ａが微動しない。これにより、対象まつ毛１３Ａを引っ張ることなく安定して対象まつ毛１３Ａを保持し、まつ毛の増毛を行うことができる。
【００４０】
このような構成によると、対向面４３Ａがまぶたと対向しているため、まつ毛保持部４がまぶた周辺に接触したとしても対向面４３Ａがまぶたに当たることとなる。これにより、挟持部４３によってまぶた周辺を傷つけることがない。
【００４１】
このような構成によると、接着剤を用いることなく人工毛１０をまつ毛１３に結び付けているため、接着剤による肌荒れや炎症、目のかゆみ、充血などを起こすことなくまつ毛を増毛させることができる。人工毛１０をまつ毛１３に結び付ける際に、まつ毛保持部４でまつ毛１３を固定した状態でまつ毛保持部４に通された人工毛１０をまつ毛１３に移動させている。まつ毛１３に人工毛１０を結び付けるときにまつ毛１３が人工毛１０に引っ張られることがないため、痛みや刺激を伴うことなく人工毛１０をまつ毛１３に結びつけることができる。まつ毛１３はまつ毛保持部４によって固定されているため、人工毛１０を結び付ける位置を定めやすい。まつ毛１３のボリューム感を出すためには、人工毛１０をまつ毛１３の根元付近に結び付けることが好ましい。まつ毛１３は長さが短いため、まつ毛１３を固定しない状態で人工毛１０を結び付けることは困難を極めた。本発明では、人工毛１０のループ部１０Ａを予めまつ毛保持部４に通しておき、まつ毛保持部４でまつ毛１３を固定した状態で人工毛１０をまつ毛保持部４からまつ毛１３に移動させるため、簡易且つ短時間で人工毛１０をまつ毛１３に結び付けることができる。まつ毛保持部４は、自在継手を有する第１支持部２及び第２支持部３によって位置が固定されるため、安定してまつ毛１３を保持することができる。人工毛１０が直接まつ毛１３に結び付けられているため、まつ毛１３が抜けない限り人工毛１０はまつ毛１３に結び付いた状態となる。まつ毛の生え変わり周期は一般に３〜４カ月であるため、接着剤で人工毛を接着するまつ毛増毛の１週間と比べてはるかに寿命が長い。人工毛を結びつける場合には、つけまつげをまぶた付近に貼付する場合に比べて自然にまつ毛を増毛することができる。これにより、つけまつげと比べて、自然に目を大きく魅せることができる。さらに、接着剤の場合と異なり、人工毛はまつ毛に結び付けられている状態であるため、任意に取り外すことが可能である。まつ毛は、５カ月程度のサイクルで抜け落ちており、１〜２か月が、まつ毛が伸びる成長期である。よって、まつ毛が成長によってある程度伸びてきた段階で、人工毛を取り外すことができる。
【００４２】
このような構成によると、まつ毛１３に取り付けた人工毛１０は両面テープ１４によって額に一時的に固定されているため、既に取り付けた人工毛１０とこれからまつ毛１３に取り付ける人工毛１０とが絡むことを防止できる。これにより、人工毛１０を互いに絡ませることなく円滑にまつ毛を増毛させるまつ毛１３の増毛を行うことができる。また、すべての人工毛１０を結び付けた後に人工毛１０をカットすることにより、全体としてボリューム感のある整ったまつ毛となる。
【００４３】
次に、図８を参照して実施の形態の変形例のまつ毛増毛用器具及びまつ毛の増毛方法について説明する。上述の実施の形態と同一の構成については、同一の符号を付し説明を省略する。
【００４４】
まつ毛保持部４の押圧部４２と挟持部４３との間には、対象まつ毛１３Ａ周辺の映像を撮影することができる撮影部１４４が着脱可能に設けられている。撮影部１４４の一端には映像を撮影するカメラ部及びＬＥＤが設けられており、他端にはケーブル１４５が接続されている。本変形例では、撮影部１４４及びケーブル１４５として、デジタルマイクロスコープ（内視鏡）を用いている。ケーブル１４５は端末１４６に接続されており、端末１４６の表示部１４７にはカメラ部が撮影した映像が表示される。変形例では、表示部として端末に接続された液晶ディスプレイを用いるが、有機ＥＬディスプレイを用いてもよい。また、端末としてパーソナルコンピュータを用いるが、スマートフォン、タブレット等を用いても良い。
【００４５】
また、ケーブル１４５には、調節部１４８が設けられていて、ＬＥＤの明るさ、カメラ部の焦点距離、映像の拡大・縮小を調節することができる。
【００４６】
変形例では、まつ毛の増毛の際には、最初にシリコンテープ１１５でまつ毛を固定し、ピンセットで増毛の対象となる対象まつ毛１３Ａを１本ずつテープ下面からテープ上面に移動させ、対象まつ毛１３Ａのみ露出した状態で図４に従ってまつ毛の増毛を行う。これにより、対象まつ毛１３Ａのみテープから露出するため、まつ毛保持部４で対象まつ毛１３ａを挟持し易くなるとともに、周囲のまつ毛１３が対象まつ毛１３Ａに干渉することがないため、円滑にまつ毛増毛を行うことができる。
【００４７】
このような構成によると、撮影部１４４で撮影された映像が表示部１４７に表示されるため、表示部１４７で表示されている映像を随時確認しながら、対象まつ毛１３Ａの増毛を行うことができる。これにより、より正確かつ安全にまつ毛の増毛を行うことができる。
【００４８】
本発明の実施の形態によるまゆ毛増毛用器具及びまゆ毛の増毛方法及びを、図９に基づき説明する。上述の実施の形態と同様の構成は、同一の符号を付し説明を省略する。まつ毛増毛用器具は、図９に示す保持装置１と、図２に示す係止装置６と、から構成される。保持装置１は、まゆ毛２１６を保持するまゆ毛保持部２０４を有している。まゆ毛保持部２０４は、まつ毛保持部４の構成と同一である。
【００４９】
まゆ毛の増毛方法の流れは、図４に示すまつ毛の増毛方法の流れと同一である。ただし、まゆ毛の増毛の場合には、アイロン等によってカールさせる工程は不要である。
【００５０】
このような構成によると、人工毛１０は係止テープ８１上に係止されているため、係止テープ８１が移動抵抗となってループ部１０Ａの緩みを防止するとともに人工毛１０が適度な抵抗をもって移動することができる。これにより、被係止部８から人工毛１０を円滑に取り外すことができるとともに、人工毛１０同士が互いに絡むことを防止できる。また、カバー部９がループ部１０Ａを覆っているため、ループ部１０Ａが被係止部８から外れることを防止することができる。さらに、係止装置６から１本１本人工毛１０を用意することにより、人工毛１０を互いに絡ませることなく円滑にまゆ毛２１６の増毛を行うことができる。また、まゆ毛保持部２０４は押圧されることにより挟持部４３が開く構造であるため、通常状態ではまゆ毛保持部２０４は閉じた状態となる。これにより、手を離した状態でもまゆ毛保持部２０４でまゆ毛２１６を保持することができるため、一人が両手を使って人工毛１０をまゆ毛２１６に結び付けることができる。まゆ毛保持部２０４は、自在継手を有する第１支持部２及び第２支持部３によって位置が固定されるため、保持したまゆ毛２１６が微動しない。これにより、まゆ毛２１６を引っ張ることなく安定してまゆ毛２１６を保持し、まゆ毛の増毛を行うことができる。
【００５１】
このような構成によると、人工毛１０をまゆ毛２１６に結び付けているため、容易にまゆ毛２１６を増毛させることができる。また、人工毛１０をまゆ毛２１６に結び付ける際に、まゆ毛保持部２０４でまゆ毛２１６を固定した状態でまゆ毛保持部２０４に通された人工毛１０をまゆ毛２１６に移動させている。さらに、まゆ毛２１６に人工毛１０を結び付けるときにまゆ毛２１６が人工毛１０に引っ張られることがないため、痛みや刺激を伴うことなく人工毛１０をまゆ毛２１６に結びつけることができる。また、まゆ毛２１６はまゆ毛保持部２０４によって固定されているため、人工毛１０を結び付ける位置を定めやすい。さらに、人工毛１０のループ部１０Ａを予めまゆ毛保持部２０４に通しておき、まゆ毛保持部２０４でまゆ毛２１６を固定した状態で人工毛１０をまゆ毛保持部２０４からまゆ毛２１６に移動させるため、簡易且つ短時間で人工毛１０をまゆ毛２１６に結び付けることができる。さらに、まゆ毛保持部２０４は、自在継手を有する第１支持部２及び第２支持部３によって位置が固定されるため、安定してまゆ毛２１６を保持することができる。人工毛１０が直接まゆ毛２１６に結び付けられているため、まゆ毛２１６が抜けない限り人工毛１０はまゆ毛２１６に結び付いた状態となる。
【００５２】
本発明によるまつ毛増毛用器具、まつ毛の増毛方法、まゆ毛増毛用器具、及びまゆ毛の増毛方法は、上述した実施の形態に限定されず、特許請求の範囲に記載された発明の要旨の範囲内で種々の変更が可能である。
【００５３】
上述の実施の形態では、人工毛１０は２本の人工毛によって形成されるループ部１０Ａと、１本の人口毛によって形成される一端部１０Ｂ及び他端部１０Ｃによって構成されたが、これに限定されない。例えば、ループ部１０Ａは１本又は３本以上の人工毛によって形成されてもよい。また、一端部１０Ｂ及び他端部１０Ｃは、２本以上の人工毛によって構成されていてもよい。
【００５４】
上述の実施の形態では、１本のまつ毛１３に１つの人工毛１０を結び付けたが、１本のまつ毛１３に複数の人工毛１０を結び付けてもよい。
【００５５】
上述の実施の形態では、人工毛１０は、質感、太さ、色がまつ毛と同等のものを用いたが、患者のまつ毛の状態に応じて任意の人工毛を選択することができる。ボリューム感を出すために、太い人工毛を用いても良く、まつ毛とは色が異なる人工毛を用いてもよい。
【００５６】
上述の実施の形態では、まつ毛及びまゆ毛の増毛方法として保持装置１及び係止装置６を用いたがこれに限定されない。例えば、手で通常のピンセットをもって図４に示す（ａ）乃至（ｆ）の流れでまつ毛及びまゆ毛を増毛させてもよい。これにより、器具を用いることなくまつ毛及びまゆ毛を増毛することができる。
【００５７】
上述の実施の形態の変形例では、まつ毛増毛に撮影部１４４及び端末１４６を用いたが、まゆ毛増毛にこれらを用いてもよい。
【符号の説明】
【００５８】
１      保持装置
２      第１支持部
３      第2支持部
４      まつ毛保持部
６      係止装置
７      ベース部
８      被係止部
９      カバー部
１０    人工毛
１０Ａ  ループ部
１０Ｂ  一端部
１０Ｃ  他端部
１３    まつ毛
４２    押圧部
４３    挟持部
４３Ａ  対向面
８１    係止テープ
１４４  撮影部
１４７  表示部
２０４  まゆ毛保持部
２１６  まゆ毛
【図１】
2018084018.tif 000003
【図２】
2018084018.tif 000004
【図３】
2018084018.tif 000005
【図４】
2018084018.tif 000006
【図５】
2018084018.tif 000007
【図６】
2018084018.tif 000008
【図７】
2018084018.tif 000009
【図８】
2018084018.tif 000010
【図９】
2018084018.tif 000011
【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
一端部と、他端部と、前記一端部と前記他端部とを引っ張ると縮小するループ部と、を備えた人工毛の前記ループ部が通されることにより前記人工毛が係止される被係止部と、前記被係止部に係止された前記人工毛の前記ループ部を覆うカバー部と、を備える係止装置と、
自在継手を有する支持部と、前記支持部によって位置が固定されまつ毛を保持可能なまつ毛保持部と、を備える保持装置と、から構成され、
前記人工毛は、前記被係止部において前記人工毛の移動抵抗となり、円周方向全周に巻かれ、表面が起毛している係止テープ上に係止され、
前記まつ毛保持部は、まつ毛を挟持する挟持部と、押圧されることにより前記挟持部が開く押圧部と、を有し、前記まつ毛保持部は、前記押圧部が押圧されていない状態では前記挟持部が閉じた状態であってまつ毛を挟持可能であることを特徴とするまつ毛増毛用器具。
【請求項２】
前記挟持部は前記押圧部に対して斜めに傾斜した対向面を有し、前記まつ毛保持部が前記まつ毛を保持した状態において前記対向面はまぶたと対向していることを特徴とする請求項１に記載のまつ毛増毛用器具。
【請求項３】
前記まつ毛保持部に着脱可能に設けられ、前記まつ毛周辺を撮影可能な撮影部と、
前記撮影部が撮影した映像を表示する表示部と、をさらに有することを特徴とする請求項１または２に記載のまつ毛増毛用器具。
【請求項４】
一端部と、他端部と、前記一端部と前記他端部とを引っ張ると縮小するループ部と、を備えた人工毛と、自在継手を有する支持部と、前記支持部によって位置が固定されまつ毛を挟持する挟持部と、押圧されることにより前記挟持部が開く押圧部と、を有し、前記押圧部が押圧されていない状態では前記挟持部が閉じた状態であってまつ毛を挟持可能なまつ毛保持部と、を有する保持装置と、を用いたまつ毛の増毛方法であって、
前記ループ部を前記まつ毛保持部に通す工程と、
前記まつ毛保持部で前記まつ毛を保持する工程と、
前記ループ部を、前記まつ毛保持部から前記まつ毛に移動させる工程と、
前記一端部と前記他端部とを前記まつ毛の配列方向に引っ張って前記ループ部を縮小させ、前記人工毛を前記まつ毛に結び付ける工程と、を有することを特徴とするまつ毛の増毛方法。
【請求項５】
一端部と、他端部と、前記一端部と前記他端部とを引っ張ると縮小するループ部と、を備えた人工毛の前記ループ部が通されることにより前記人工毛が係止される被係止部と、前記被係止部に係止された前記人工毛の前記ループ部を覆うカバー部と、を備える係止装置と、
自在継手を有する支持部と、前記支持部によって位置が固定されまゆ毛を保持可能なまゆ毛保持部と、を備える保持装置と、から構成され、
前記人工毛は、前記被係止部において前記人工毛の移動抵抗となり、円周方向全周に巻かれ、表面が起毛している係止テープ上に係止され、
前記まゆ毛保持部は、まゆ毛を挟持する挟持部と、押圧されることにより前記挟持部が開く押圧部と、を有し、前記まゆ毛保持部は、前記押圧部が押圧されていない状態では前記挟持部が閉じた状態であってまゆ毛を挟持可能であることを特徴とするまゆ毛増毛用器具。
【請求項６】
一端部と、他端部と、前記一端部と前記他端部とを引っ張ると縮小するループ部と、を備えた人工毛と、自在継手を有する支持部と、前記支持部によって位置が固定されまゆ毛を挟持する挟持部と、押圧されることにより前記挟持部が開く押圧部と、を有し、前記押圧部が押圧されていない状態では前記挟持部が閉じた状態であってまゆ毛を挟持可能なまゆ毛保持部と、を有する保持装置と、を用いたまゆ毛の増毛方法であって、
前記ループ部を前記まゆ毛保持部に通す工程と、
前記まゆ毛保持部で前記まゆ毛を保持する工程と、
前記ループ部を、前記まゆ毛保持部から前記まゆ毛に移動させる工程と、
前記一端部と前記他端部とを前記まゆ毛の配列方向に引っ張って前記ループ部を縮小させ、前記人工毛を前記まゆ毛に結び付ける工程と、を有することを特徴とするまゆ毛の増毛方法。
【手続補正２】
【補正対象書類名】明細書
【補正対象項目名】０００８
【補正方法】変更
【補正の内容】
【０００８】
上記課題を解決するために第１の発明では、一端部と、他端部と、前記一端部と前記他端部とを引っ張ると縮小するループ部と、を備えた人工毛の前記ループ部が通されることにより前記人工毛が係止される被係止部と、前記被係止部に係止された前記人工毛の前記ループ部を覆うカバー部と、を備える係止装置と、自在継手を有する支持部と、前記支持部によって位置が固定されまつ毛を保持可能なまつ毛保持部と、を備える保持装置と、から構成され、前記人工毛は、前記被係止部において前記人工毛の移動抵抗となり、円周方向全周に巻かれ、表面が起毛している係止テープ上に係止され、前記まつ毛保持部は、まつ毛を挟持する挟持部と、押圧されることにより前記挟持部が開く押圧部と、を有し、前記まつ毛保持部は、前記押圧部が押圧されていない状態では前記挟持部が閉じた状態であってまつ毛を挟持可能であることを特徴とするまつ毛増毛用器具を提供する。
【手続補正３】
【補正対象書類名】明細書
【補正対象項目名】００１１
【補正方法】変更
【補正の内容】
【００１１】
また、第４の発明では、一端部と、他端部と、前記一端部と前記他端部とを引っ張ると縮小するループ部と、を備えた人工毛と、自在継手を有する支持部と、前記支持部によって位置が固定されまつ毛を挟持する挟持部と、押圧されることにより前記挟持部が開く押圧部と、を有し、前記押圧部が押圧されていない状態では前記挟持部が閉じた状態であってまつ毛を挟持可能なまつ毛保持部と、を有する保持装置と、を用いたまつ毛の増毛方法であって、前記ループ部を前記まつ毛保持部に通す工程と、前記まつ毛保持部で前記まつ毛を保持する工程と、前記ループ部を、前記まつ毛保持部から前記まつ毛に移動させる工程と、前記一端部と前記他端部とを前記まつ毛の配列方向に引っ張って前記ループ部を縮小させ、前記人工毛を前記まつ毛に結び付ける工程と、を有することを特徴とするまつ毛の増毛方法を提供する。
【手続補正４】
【補正対象書類名】明細書
【補正対象項目名】００１２
【補正方法】変更
【補正の内容】
【００１２】
また、第５の発明では、一端部と、他端部と、前記一端部と前記他端部とを引っ張ると縮小するループ部と、を備えた人工毛の前記ループ部が通されることにより前記人工毛が係止される被係止部と、前記被係止部に係止された前記人工毛の前記ループ部を覆うカバー部と、を備える係止装置と、自在継手を有する支持部と、前記支持部によって位置が固定されまゆ毛を保持可能なまゆ毛保持部と、を備える保持装置と、から構成され、前記人工毛は、前記被係止部において前記人工毛の移動抵抗となり、円周方向全周に巻かれ、表面が起毛している係止テープ上に係止され、前記まゆ毛保持部は、まゆ毛を挟持する挟持部と、押圧されることにより前記挟持部が開く押圧部と、を有し、前記まゆ毛保持部は、前記押圧部が押圧されていない状態では前記挟持部が閉じた状態であってまゆ毛を挟持可能であることを特徴とするまゆ毛増毛用器具を提供する。
【手続補正５】
【補正対象書類名】明細書
【補正対象項目名】００１３
【補正方法】変更
【補正の内容】
【００１３】
また、第６の発明では、一端部と、他端部と、前記一端部と前記他端部とを引っ張ると縮小するループ部と、を備えた人工毛と、自在継手を有する支持部と、前記支持部によって位置が固定されまゆ毛を挟持する挟持部と、押圧されることにより前記挟持部が開く押圧部と、を有し、前記押圧部が押圧されていない状態では前記挟持部が閉じた状態であってまゆ毛を挟持可能なまゆ毛保持部と、を有する保持装置と、を用いたまゆ毛の増毛方法であって、前記人工毛を用意する工程と、前記ループ部を前記まゆ毛保持部に通す工程と、前記まゆ毛保持部で前記まゆ毛を保持する工程と、前記ループ部を、前記まゆ毛保持部から前記まゆ毛に移動させる工程と、前記一端部と前記他端部とを前記まゆ毛の配列方向に引っ張って前記ループ部を縮小させ、前記人工毛を前記まゆ毛に結び付ける工程と、を有することを特徴とするまゆ毛の増毛方法を提供する。
【手続補正書】
【提出日】平成29年6月2日(2017.6.2)
【手続補正１】
【補正対象書類名】特許請求の範囲
【補正対象項目名】全文
【補正方法】変更
【補正の内容】
【特許請求の範囲】
【請求項１】
一端部と、他端部と、前記一端部と前記他端部とを引っ張ると縮小するループ部と、を備えた人工毛の前記ループ部が通されることにより前記人工毛が係止される被係止部と、前記被係止部に係止された前記人工毛の前記ループ部を覆うカバー部と、を備える係止装置と、
自在継手を有する支持部と、前記支持部によって位置が固定されまつ毛を保持可能なまつ毛保持部と、を備える保持装置と、から構成され、
前記人工毛は、前記被係止部において前記人工毛の移動抵抗となり、円周方向全周に巻かれ、表面が起毛している係止テープ上に係止され、
前記まつ毛保持部は、まつ毛を挟持する挟持部と、押圧されることにより前記挟持部が開く押圧部と、を有し、前記まつ毛保持部は、前記押圧部が押圧されていない状態では前記挟持部が閉じた状態であってまつ毛を挟持可能であることを特徴とするまつ毛増毛用器具。
【請求項２】
前記挟持部は前記押圧部に対して斜めに傾斜した対向面を有し、前記まつ毛保持部が前記まつ毛を保持した状態において前記対向面はまぶたと対向していることを特徴とする請求項１に記載のまつ毛増毛用器具。
【請求項３】
前記まつ毛保持部に着脱可能に設けられ、前記まつ毛周辺を撮影可能な撮影部と、
前記撮影部が撮影した映像を表示する表示部と、をさらに有することを特徴とする請求項１または２に記載のまつ毛増毛用器具。
【請求項４】
請求項１に記載のまつ毛増毛用器具を用いたまつ毛の増毛方法であって、
前記ループ部を前記まつ毛保持部に通す工程と、
前記まつ毛保持部で前記まつ毛を保持する工程と、
前記ループ部を、前記まつ毛保持部から前記まつ毛に移動させる工程と、
前記一端部と前記他端部とを前記まつ毛の配列方向に引っ張って前記ループ部を縮小させ、前記人工毛を前記まつ毛に結び付ける工程と、を有することを特徴とするまつ毛の増毛方法。
【請求項５】
一端部と、他端部と、前記一端部と前記他端部とを引っ張ると縮小するループ部と、を備えた人工毛の前記ループ部が通されることにより前記人工毛が係止される被係止部と、前記被係止部に係止された前記人工毛の前記ループ部を覆うカバー部と、を備える係止装置と、
自在継手を有する支持部と、前記支持部によって位置が固定されまゆ毛を保持可能なまゆ毛保持部と、を備える保持装置と、から構成され、
前記人工毛は、前記被係止部において前記人工毛の移動抵抗となり、円周方向全周に巻かれ、表面が起毛している係止テープ上に係止され、
前記まゆ毛保持部は、まゆ毛を挟持する挟持部と、押圧されることにより前記挟持部が開く押圧部と、を有し、前記まゆ毛保持部は、前記押圧部が押圧されていない状態では前記挟持部が閉じた状態であってまゆ毛を挟持可能であることを特徴とするまゆ毛増毛用器具。
【請求項６】
請求項５に記載のまゆ毛増毛用器具を用いたまゆ毛の増毛方法であって、
前記ループ部を前記まゆ毛保持部に通す工程と、
前記まゆ毛保持部で前記まゆ毛を保持する工程と、
前記ループ部を、前記まゆ毛保持部から前記まゆ毛に移動させる工程と、
前記一端部と前記他端部とを前記まゆ毛の配列方向に引っ張って前記ループ部を縮小させ、前記人工毛を前記まゆ毛に結び付ける工程と、を有することを特徴とするまゆ毛の増毛方法。
【手続補正２】
【補正対象書類名】明細書
【補正対象項目名】００１１
【補正方法】変更
【補正の内容】
【００１１】
また、第４の発明では、第１の発明に係るまつ毛増毛用器具を用いたまつ毛の増毛方法であって、前記ループ部を前記まつ毛保持部に通す工程と、前記まつ毛保持部で前記まつ毛を保持する工程と、前記ループ部を、前記まつ毛保持部から前記まつ毛に移動させる工程と、前記一端部と前記他端部とを前記まつ毛の配列方向に引っ張って前記ループ部を縮小させ、前記人工毛を前記まつ毛に結び付ける工程と、を有することを特徴とするまつ毛の増毛方法を提供する。
【手続補正３】
【補正対象書類名】明細書
【補正対象項目名】００１３
【補正方法】変更
【補正の内容】
【００１３】
また、第６の発明では、第５の発明に係るまゆ毛増毛用器具を用いたまゆ毛の増毛方法であって、前記人工毛を用意する工程と、前記ループ部を前記まゆ毛保持部に通す工程と、前記まゆ毛保持部で前記まゆ毛を保持する工程と、前記ループ部を、前記まゆ毛保持部から前記まゆ毛に移動させる工程と、前記一端部と前記他端部とを前記まゆ毛の配列方向に引っ張って前記ループ部を縮小させ、前記人工毛を前記まゆ毛に結び付ける工程と、を有することを特徴とするまゆ毛の増毛方法を提供する。